(57)【要約】【課題】予約録画の実行ができない場合でも、まとめディスクを作成することができる録画装置および録画方法を実現する。【解決手段】本発明に係る録画装置２は、放送される番組を光ディスクＤＫ１に録画する機能を有する録画装置であって、光ディスクＤＫ１に録画予約されている予約番組を示す録画予約情報Ｄ２を取得する録画予約管理部８と、録画予約情報Ｄ２に録画装置２による録画の実行が不可能な予約番組が含まれているか否かを判定する予約録画実行可否判定部９と、録画の実行が不可能な予約番組が含まれていると判定された場合、光ディスクＤＫ１に記録されている録画データＤ１および録画予約情報Ｄ２を、録画装置２に接続されている他の録画装置３に転送するデータ転送部１０と、を備える。【選択図】図１
2011065710.tif 000002
【特許請求の範囲】
【請求項１】
放送される番組を記録メディアに録画する機能を有する録画装置であって、
上記記録メディアに録画予約されている予約番組を示す録画予約情報を取得する予約情報取得手段と、
上記録画予約情報に上記録画装置による録画の実行が不可能な予約番組が含まれているか否かを判定する判定手段と、
上記録画予約情報に上記録画装置による録画の実行が不可能な予約番組が含まれていると判定された場合、上記記録メディアに記録されている録画データおよび上記録画予約情報を、上記録画装置に接続されている他の録画装置に転送する転送手段と、を備えることを特徴とする録画装置。
【請求項２】
上記他の録画装置はハードディスクを備えており、
上記転送手段は、上記録画データおよび上記録画予約情報を、上記ハードディスクに転送することを特徴とする請求項１に記載の録画装置。
【請求項３】
上記転送手段は、上記記録メディアに記録されている全てのデータを、上記他の録画装置に転送することを特徴とする請求項１または２に記載の録画装置。
【請求項４】
放送される番組を録画する録画方法であって、
録画装置に備えられる記録メディアに録画予約されている予約番組を示す録画予約情報を取得する予約情報取得ステップと、
上記録画予約情報に上記録画装置による録画の実行が不可能な予約番組が含まれているか否かを判定する判定ステップと、
上記録画予約情報に上記録画装置による録画の実行が不可能な予約番組が含まれていると判定された場合、上記記録メディアに記録されている録画データおよび上記録画予約情報を、上記録画装置に接続されている他の録画装置に転送する転送ステップと、
上記他の録画装置において、上記録画装置による録画の実行が不可能な予約番組を録画する録画ステップと、を有することを特徴とする録画方法。
【請求項５】
請求項１〜３のいずれか１項に記載の録画装置の各手段としてコンピュータを機能させるプログラム。
【請求項６】
請求項５に記載のプログラムを記録したコンピュータ読み取り可能な記録媒体。
【発明の詳細な説明】
【技術分野】
【０００１】
本発明は、放送される番組を録画する録画装置および録画方法に関し、特に、同一のシリーズ番組のみを連続して記録した光ディスクを作成できる録画装置および録画方法に関する。
【背景技術】
【０００２】
近年、テレビ番組等を録画するための記録メディアとして、ＤＶＤやブルーレイディスク（ＢＤ）といった大容量の光ディスクが急速に普及している。これにより、１つの光ディスクに多数の番組を録画することが可能になっている。録画操作における利便性向上のための技術として、例えば、下記の特許文献１および２に記載の技術が提案されている。
【０００３】
図４は、特許文献１に記載の情報記録再生装置１００を示すブロック図である。情報記録再生装置１００に挿入された光ディスクＤＫは、記録すべきテレビ放送を録画する光ディスクＤＫであって、当該光ディスクＤＫに録画可能な複数種類のテレビ放送のうち、当該光ディスクＤＫに固有の予め設定された特定種類のテレビ放送の記録開始予定時刻と記録終了予定時刻とを少なくとも含む録画予約情報が記録されている。光ディスクＤＫ毎に固有のテレビ放送に対応する録画予約情報が記録されているので、テレビ放送の録画前に当該録画予約情報を読み出し、当該読み出した録画予約情報に基づいて録画すべきテレビ放送を選択して録画するようにすれば、１つの光ディスクＤＫ内に当該光ディスクＤＫに固有のテレビ放送（例えば、連続ドラマ等）のみを録画することができる。
【０００４】
図５（ａ）は、特許文献２に記載のネットワークシステム２００を示す図であり、図５（ｂ）は、特許文献２に記載の放送信号記録装置Ｒ２０１を示すブロック図である。図５（ａ）に示すように、ネットワークシステム２００では、レコーダＲ２０１、テレビジョンＲ２０２およびレコーダＲ２０３が、ネットワークＮを介して互いに接続されている。図５（ｂ）に示すように、レコーダＲ２０１は、ＴＶチューナ２１１と、ＤＶＤ−ＲＡＭ光ディスクＤをドライブするＤＶＤ−ＲＡＭドライブ２１５と、ハードディスク部２１７と、マイクロコンピュータブロック２１８と、ユーザインターフェース部２１９と、ネットワークインターフェース２２１とを有している。ユーザインターフェース部２１９を介して放送番組の録画予約操作があると、マイクロコンピュータブロック２１８は、本体のレコーダＲ２０１で録画が可能かどうかを判断し、録画可能となれば録画予約を実行する。一方、本体のレコーダＲ２０１での録画が不可能であれば、マイクロコンピュータブロック２１８は、他の記録機器であるテレビジョンＲ２０２およびレコーダＲ２０３が録画可能かどうかを問い合わせ、録画可能なレコーダがあれば、ネットワークインターフェース２２１からネットワークＮを経由して、録画可能なレコーダに対して録画予約情報を送信する。これにより、レコーダＲ２０１で録画できない放送番組を他のレコーダにおいて録画することができる。
【先行技術文献】
【特許文献】
【０００５】
【特許文献１】特開平１１−２６００４３号公報（１９９９年９月２４日公開）
【特許文献２】特開２００３−１９９００４号公報（２００３年７月１１日公開）
【発明の概要】
【発明が解決しようとする課題】
【０００６】
また、毎日あるいは毎週のように定期的に放送されるシリーズ番組（例えば、ドラマや語学番組）を録画する場合、録画した光ディスクをコレクションとして管理しやすくするために、１つの光ディスク（以下「まとめディスク」と称する）に同一のシリーズ番組のみを連続して録画したいという要望がある。
【０００７】
しかしながら、特許文献１に記載の技術では、あらかじめ録画予約情報を光ディスクに記録しても、光ディスクに録画予約している番組が他の記録メディア（例えばハードディスク）に録画予約している番組と録画時間帯が重複していたり、光ディスクの容量が不足していた場合、光ディスクに記録していた録画予約情報に基づく録画が実行できないおそれがある。図６を参照して具体的に説明する。同図の左に示すように、光ディスクＤＫ１０１に「英会話＃１」および「英会話＃２」が録画され、「英会話＃３」および「英会話＃４」の録画予約情報が記録されており、「英会話＃３」の放送時間である４月１日の７：００〜７：３０が、ハードディスクに録画予約されている番組の放送時間と重複しているとする。ここで、光ディスクへの録画とハードディスクへの録画とを同時に実行できない機種の場合、ハードディスクへの録画予約が優先されると、「英会話＃３」の録画が実行されないこととなる。その結果、録画に抜けが生じることはユーザにとって大きな損失となるが、特許文献１ではこの問題の対策については開示されていない。
【０００８】
また、特許文献２に記載の技術では、光ディスクに記録していた録画予約情報に基づく録画が実行できない場合には、他の録画装置に録画予約情報が転送される。図７を参照して具体的に説明する。同図の左に示すように、光ディスクＤＬ１０１に「英会話＃１」および「英会話＃２」が録画され、「英会話＃３」および「英会話＃４」の録画予約情報が記録されており、「英会話＃３」の放送時間である４月１日の７：００〜７：３０に、ハードディスクへの録画予約が重複しているため、ハードディスクへの録画予約が優先されたとする。この場合、他の録画装置のハードディスクＨＤ１０２に「英会話＃３」の録画予約情報が転送されるため、当該他の録画装置において「英会話＃３」の録画が実行される。その後、他の光ディスクＤＫ１０２に「英会話＃３」の録画データを書き出せば、「英会話＃３」を録画した光ディスクＤＫ１０２を作成することができる。
【０００９】
このように、図７に示す例では、英会話＃１〜英会話＃４を全て録画することができるが、光ディスクＤＫ１０１には、「英会話＃３」が録画されないため、英会話＃１〜英会話＃４を連続して録画した「まとめディスク」を作成することはできない。
【００１０】
本発明は、上記の問題点を解決するためになされたもので、その目的は、予約録画の実行ができない場合でも、まとめディスクを作成することができる録画装置および録画方法を実現することにある。
【課題を解決するための手段】
【００１１】
上記の課題を解決するために、本発明に係る録画装置は、放送される番組を記録メディアに録画する機能を有する録画装置であって、上記記録メディアに録画予約されている予約番組を示す録画予約情報を取得する予約情報取得手段と、上記録画予約情報に上記録画装置による録画の実行が不可能な予約番組が含まれているか否かを判定する判定手段と、上記録画予約情報に上記録画装置による録画の実行が不可能な予約番組が含まれていると判定された場合、上記記録メディアに記録されている録画データおよび上記録画予約情報を、上記録画装置に接続されている他の録画装置に転送する転送手段と、を備えることを特徴としている。
【００１２】
上記の構成によれば、判定手段によって、記録メディアに録画予約されている予約番組を示す録画予約情報に、録画装置による録画の実行が不可能な予約番組が含まれていると判定された場合、録画データおよび録画予約情報が、転送手段によって他の録画装置に転送される。すなわち、録画装置が記録メディアに登録されている録画予約を実行できない場合に、録画予約情報だけでなく、録画済のデータである録画データも他の録画装置に転送される。これにより、他の録画装置において予約録画が実行されると、他の録画装置には、予約番組の録画データと、転送された録画データとが記録された状態となる。よって、転送された録画データの番組と、録画予約情報に係る予約番組とが、同一のシリーズ番組であっても、転送元の録画装置において予約録画が実行された場合と同様に、他の録画装置において、シリーズ番組を録画漏れのない状態で記録することができる。したがって、予約録画の実行ができない場合でも、まとめディスクを作成することができる録画装置を実現できる。
【００１３】
本発明に係る録画装置では、上記他の録画装置はハードディスクを備えており、上記転送手段は、上記録画データおよび上記録画予約情報を、上記ハードディスクに転送することが好ましい。
【００１４】
上記の構成によれば、他の録画装置において予約録画が実行されると、予約番組の録画データと、転送された録画データとが、ハードディスクに記録される。その後、予約番組の録画データと、転送された録画データとを、ハードディスクから光ディスクに書き出すことにより、まとめディスクを作成することができる。また、ハードディスクは、光ディスクに比べて記録容量が多いので、光ディスクの残容量が原因で予約録画を実行できないであっても、容易に対応できる。
【００１５】
本発明に係る録画装置では、上記転送手段は、上記記録メディアに記録されている全てのデータを、上記他の録画装置に転送することが好ましい。
【００１６】
上記の構成によれば、記録メディアにマイセッティング情報など、録画データおよび予約番組情報以外の他のデータが含まれている場合、それらの他のデータも他の録画装置に転送される。これにより、転送元の記録メディアの設定内容を維持することができる。
【００１７】
本発明に係る録画方法は、放送される番組を録画する録画方法であって、録画装置に備えられる記録メディアに録画予約されている予約番組を示す録画予約情報を取得する予約情報取得ステップと、上記録画予約情報に上記録画装置による録画の実行が不可能な予約番組が含まれているか否かを判定する判定ステップと、上記録画予約情報に上記録画装置による録画の実行が不可能な予約番組が含まれていると判定された場合、上記記録メディアに記録されている録画データおよび上記録画予約情報を、上記録画装置に接続されている他の録画装置に転送する転送ステップと、上記他の録画装置において、上記録画装置による録画の実行が不可能な予約番組を録画する録画ステップと、を有することを特徴としている。
【００１８】
上記の構成によれば、判定ステップにおいて、記録メディアに録画予約されている予約番組を示す録画予約情報に、録画装置による録画の実行が不可能な予約番組が含まれていると判定された場合、転送ステップにおいて、録画データおよび録画予約情報が他の録画装置に転送される。すなわち、録画装置が記録メディアに登録されている録画予約を実行できない場合に、録画予約情報だけでなく、録画済のデータである録画データも他の録画装置に転送される。これにより、他の録画装置において予約録画が実行されると、他の録画装置には、予約番組の録画データと、転送された録画データとが記録された状態となる。よって、転送された録画データの番組と、録画予約情報に係る予約番組とが、同一のシリーズ番組であっても、転送元の録画装置において予約録画が実行された場合と同様に、他の録画装置において、シリーズ番組を録画漏れのない状態で記録することができる。したがって、予約録画の実行ができない場合でも、まとめディスクを作成することができる録画方法を実現できる。
【００１９】
上記録画装置は、ハードウェアで実現してもよいし、プログラムをコンピュータに実行させることによって実現してもよい。具体的には、本発明に係るプログラムは、上記録画装置の各手段としてコンピュータを機能させるプログラムであり、本発明に係る記録媒体には、当該プログラムが記録されている。
【発明の効果】
【００２０】
以上のように、本発明に係る録画装置は、放送される番組を記録メディアに録画する機能を有する録画装置であって、上記記録メディアに録画予約されている予約番組を示す録画予約情報を取得する予約情報取得手段と、上記録画予約情報に上記録画装置による録画の実行が不可能な予約番組が含まれているか否かを判定する判定手段と、上記録画予約情報に上記録画装置による録画の実行が不可能な予約番組が含まれていると判定された場合、上記記録メディアに記録されている録画データおよび上記録画予約情報を、上記録画装置に接続されている他の録画装置に転送する転送手段と、を備えている。また、本発明に係る録画方法は、放送される番組を録画する録画方法であって、録画装置に備えられる記録メディアに録画予約されている予約番組を示す録画予約情報を取得する予約情報取得ステップと、上記録画予約情報に上記録画装置による録画の実行が不可能な予約番組が含まれているか否かを判定する判定ステップと、上記録画予約情報に上記録画装置による録画の実行が不可能な予約番組が含まれていると判定された場合、上記記録メディアに記録されている録画データおよび上記録画予約情報を、上記録画装置に接続されている他の録画装置に転送する転送ステップと、上記他の録画装置において、上記録画装置による録画の実行が不可能な予約番組を録画する録画ステップと、を有している。したがって、予約録画の実行ができない場合でも、まとめディスクを作成することができる録画装置および録画方法を実現できるという効果を奏する。
【図面の簡単な説明】
【００２１】
【図１】本発明の実施形態に係る録画システムの構成を示すブロック図である。
【図２】上記録画システムの録画装置のハードディスクおよび光ディスク、並びに他の録画装置のハードディスクおよび光ディスクに記録されているデータの一覧である。
【図３】本発明の実施形態に係る録画方法の手順の一例を示すフローチャートである。
【図４】特許文献１に記載の情報記録再生装置を示すブロック図である。
【図５】（ａ）は、特許文献２に記載のネットワークシステムを示す図であり、（ｂ）は、特許文献２に記載の放送信号記録装置を示すブロック図である。
【図６】特許文献１に係る発明の問題点を説明するための図である。
【図７】特許文献２に係る発明の問題点を説明するための図である。
【発明を実施するための形態】
【００２２】
本発明の実施の一形態について図１〜図３に基づいて説明すれば以下のとおりである。
【００２３】
図１は、本実施形態に係る録画システム１の構成を示すブロック図である。録画システム１は、録画装置２および録画装置３を備えている。録画装置２・３は、放送される番組を記録メディアに録画する機能を有しており、録画装置２と録画装置３とはネットワークＮを介して互いに接続されている。なお、録画装置３は、特許請求に記載の他の録画装置に相当する。
【００２４】
録画装置２は、内蔵メディアとしてのハードディスクＨＤ１と、リムーバブルな外部メディアとしての光ディスクＤＫ１とを、録画のための記録メディアとして使用する。光ディスクＤＫ１としては、ＤＶＤやＢＤ等が用いられる。また、録画装置２は、メディアアクセス部４、ユーザインターフェース部５、録画予約設定部６、録画データ管理部７、録画予約管理部８、予約録画実行可否判定部９、データ転送部１０および通信インターフェース部１１を備えている。これらの機能ブロックの動作は、録画装置２が有するＣＰＵによって制御される。なお、図１では、メディアに対する録画を行うための録画実行部などの機能ブロックは図示を省略している。
【００２５】
メディアアクセス部４は、ハードディスクＨＤ１および光ディスクＤＫ１に対する録画データや録画予約情報の読み書きを行う機能を有している。ユーザインターフェース部５は、録画装置２の本体に設けられたキーやリモートコントローラを介してユーザの操作を受け付ける機能を有している。録画予約設定部６は、ユーザインターフェース部５が受け付けたユーザからの録画予約操作に基づいて、予約録画をする番組の番組名や、録画開始日時および録画終了日時等の録画予約情報を、ユーザの指定する記録メディアにメディアアクセス部４を介して書き込む機能を有している。
【００２６】
図１において、光ディスクＤＫ１には、録画データＤ１および録画予約情報Ｄ２が記録されており、ハードディスクＨＤ１には、録画データＤ３および録画予約情報Ｄ４が記録されている。録画データＤ１・Ｄ３は、それぞれ光ディスクＤＫ１およびハードディスクＨＤ１に録画済の番組データである。また、録画予約情報Ｄ２・Ｄ４は、それぞれ光ディスクＤＫ１およびハードディスクＨＤ１の予約録画を受け付けた予約番組に関する情報であり、予約番組の番組名や各番組の録画開始日時および録画終了日時などが含まれている。
【００２７】
録画データ管理部７は、録画データＤ１・Ｄ３に関する情報を、光ディスクＤＫ１およびハードディスクＨＤ１から読み出して管理する機能を有している。録画データＤ１・Ｄ３に関する情報としては、録画データＤ１・Ｄ３のデータ量や、光ディスクＤＫ１およびハードディスクＨＤ１に録画された番組名、録画時間、録画日時などが含まれる。
【００２８】
録画予約管理部８は、光ディスクＤＫ１およびハードディスクＨＤ１から録画予約情報Ｄ２・Ｄ４を読み出して、図示しない録画実行部に予約録画を実行させる機能を有している。なお、録画予約管理部８は、特許請求の範囲に記載の予約情報取得手段に相当する。
【００２９】
予約録画実行可否判定部９は、特許請求の範囲に記載の判定手段に相当する機能ブロックである。予約録画実行可否判定部９は、録画データ管理部７および録画予約管理部８によって光ディスクＤＫ１およびハードディスクＨＤ１から読み出された各データを参照して、光ディスクＤＫ１に記録されている録画予約情報Ｄ２に、予約録画の実行が不可能な予約番組が含まれているか否かを判定する。例えば、光ディスクＤＫ１に録画予約されている予約番組のいずれかが、ハードディスクＨＤ１に録画予約されている予約番組と録画日時が重複していた場合や、光ディスクＤＫ１に録画予約されている予約番組の録画時間の合計が、光ディスクＤＫ１の録画可能時間よりも長い場合に、予約録画実行可否判定部９は、予約録画の実行が不可能な予約番組が含まれていると判定する。
【００３０】
データ転送部１０は、特許請求の範囲に記載の転送手段に相当する機能ブロックである。予約録画実行可否判定部９は、予約録画の実行が不可能な予約番組が含まれていると判定すると、データ転送部１０に対し、通信インターフェース部１１を介してネットワークＮ上の他の録画装置にアクセスして、録画予約情報Ｄ２に係る予約録画の実行可能な録画装置がネットワークＮ上に存在するか確認するよう指示する。予約録画の実行可能な録画装置が存在することを確認できた場合、データ転送部１０は、光ディスクＤＫ１に記録されている録画データＤ１および録画予約情報Ｄ２を録画装置３に転送する。本実施形態では、データ転送部１０は、録画データＤ１および録画予約情報Ｄ２を録画装置３のハードディスク（図示せず）に転送する。これにより、録画装置２では予約録画の実行が不可能な予約番組を、録画装置３において録画することができる。さらに、録画予約情報Ｄ２だけでなく録画データＤ１も録画装置３に転送されるので、録画予約情報Ｄ２に基づいて予約録画が実行された場合、予約録画実行により新たに録画されたデータと、録画データＤ１とが同一の記録メディア（録画装置３のハードディスク）に記録される。したがって、録画データＤ１と録画予約情報Ｄ２とが、同一のシリーズ番組に関するものであった場合でも、録画装置３のハードディスクからりムーバブルな光ディスクに書き出すことにより、録画抜けのない「まとめディスク」を作成することができる。
【００３１】
続いて、図１に示す録画装置２から録画装置３へのデータ転送の具体例について、図２を参照して説明する。同図では、録画装置３の内蔵メディアをハードディスクＨＤ２、録画装置３の外部メディアを光ディスクＤＫ２とする。
【００３２】
図２は、録画装置２のハードディスクＨＤ１および光ディスクＤＫ１、並びに録画装置３のハードディスクＨＤ２および光ディスクＤＫ２に記録されているデータの一覧である。図中「１」が表示された行は、初期状態におけるデータ内容を示している。このとき、録画装置２の光ディスクＤＫ１には、「英会話＃１」および「英会話＃２」が録画され、「英会話＃３」および「英会話＃４」の録画予約情報が記録されており、「英会話＃３」の放送時間である４月１日の７：００〜７：３０が、ハードディスクＨＤ１に録画予約されているニュースの放送時間と重複している。そのため、図１に示す予約録画実行可否判定部９は、「英会話＃３」の録画実行が不可能であると判定する。
【００３３】
「英会話＃３」の録画実行が不可能であると判定されると、データ転送部１０は、光ディスクＤＫ１に記録されている録画データＤ１および録画予約情報Ｄ２を、録画装置３のハードディスクＨＤ２に転送する。これにより、図２の一覧における「２」が表示された行に示すように、録画装置３のハードディスクＨＤ２には、録画装置２の光ディスクＤＫ１に記録されているデータがそのまま格納される。
【００３４】
その後、「英会話＃３」の録画が実行されると、図２の一覧における「３」が表示された行に示すように、録画装置３のハードディスクＨＤ２には、「英会話＃１」〜「英会話＃３」の録画データと、「英会話＃４」の録画予約情報とが格納された状態となる。続いて、図２の一覧における「４」が表示された行に示すように、録画装置３のハードディスクＨＤ２に格納されているデータを、録画装置３に挿入された光ディスクＤＫ２に書き出すことにより、「英会話＃１」〜「英会話＃３」の録画データと、「英会話＃４」の録画予約情報とが記録された「まとめディスク」を作成することができる。なお、ハードディスクＨＤ２から光ディスクＤＫ２への書き出しは、自動的に行ってもよいし、ユーザの操作によって行ってもよい。
【００３５】
ここで、図７に示す従来の構成と比較すると、従来の構成では、同図の右側に示すように、「英会話＃１」〜「英会話＃２」の録画データおよび「英会話＃４」の録画予約情報と、「英会話＃３」の録画データとが、２つの光ディスクＤＫ１０１・ＤＫ１０２に別々に記録されている。これに対し、本実施形態では、２つの光ディスクＤＫ１０１・ＤＫ１０２に記録された内容を、１つの光ディスクＤＫ２にまとめて記録することができる。
【００３６】
続いて、本実施形態に係る録画システム１における録画方法の手順について、図３を参照して説明する。
【００３７】
図３は、本実施形態に係る録画方法の手順の一例を示すフローチャートである。まず、録画装置２に光ディスクＤＫ１が挿入され（ステップＳ１）、ユーザによって録画予約操作を受け付けると（ステップＳ２）、図１に示す録画予約管理部８は、光ディスクＤＫ１から録画予約情報Ｄ２を読み出す（ステップＳ３）。また、録画予約管理部８は、ハードディスクＨＤ１から録画予約情報Ｄ４を読み出す（ステップＳ４）。なお、ステップＳ３は、特許請求の範囲に記載の予約情報取得ステップに相当する。また、ステップＳ４の後にステップＳ３を行ってもよく、ステップＳ３とステップＳ４とを同時に行ってもよい。
【００３８】
続いて、予約録画実行可否判定部９は、ステップＳ３・Ｓ４において読み出された録画予約情報Ｄ２およびＤ４を参照して、光ディスクＤＫ１に録画予約されている予約番組の中に、ハードディスクＨＤ１に録画予約されている予約番組と録画日時が重複する予約番組があるか確認する（ステップＳ５）。光ディスクＤＫ１に録画予約されている予約番組の中に、ハードディスクＨＤ１に録画予約されている予約番組と録画日時が重複する予約番組がない場合（ステップＳ５において「ＮＯ」）、図１に示す録画予約管理部８が、光ディスクＤＫ１から録画データＤ１の録画時間情報を読み出す（ステップＳ６）。予約録画実行可否判定部９は、ステップＳ３において読み出された録画予約情報Ｄ２およびステップＳ６において読み出された録画データＤ１の録画時間情報を参照することにより、光ディスクＤＫ１の残容量が録画予約情報Ｄ２に係る予約番組全てを録画できる容量であるか確認する（ステップＳ７）。光ディスクＤＫ１の残容量が録画予約情報Ｄ２に係る予約番組全てを録画できる容量である場合（ステップＳ７において「ＹＥＳ」）、予約録画実行可否判定部９は、光ディスクＤＫ１に記録されている録画予約情報Ｄ２に、予約録画の実行が不可能な予約番組が含まれていないと判定し、録画装置２において予約録画が実行される（ステップＳ８）。なお、ステップＳ５・Ｓ７は、特許請求の範囲に記載の判定ステップに相当する。
【００３９】
一方、ステップＳ５において、光ディスクＤＫ１に録画予約されている予約番組の中に、ハードディスクＨＤ１に録画予約されている予約番組と録画日時が重複する予約番組がある場合（ステップＳ５において「ＹＥＳ」）、または、ステップＳ７において、光ディスクＤＫ１の残容量が録画予約情報Ｄ２に係る予約番組全てを録画できる容量には満たない場合（ステップＳ７において「ＮＯ」）、予約録画実行可否判定部９は、光ディスクＤＫ１に記録されている録画予約情報Ｄ２に、予約録画の実行が不可能な予約番組が含まれていると判定する。この場合、予約録画実行可否判定部９は、データ転送部１０に対し、録画予約情報Ｄ２に係る予約録画の実行可能な録画装置がネットワークＮ上に存在するか確認させる（ステップＳ９）。
【００４０】
録画予約情報Ｄ２に係る予約録画の実行可能な録画装置（図１に示す録画装置３）がネットワークＮ上に存在する場合（ステップＳ９において「ＹＥＳ」）、データ転送部１０は、光ディスクＤＫ１に記録されている録画データＤ１および録画予約情報Ｄ２を、録画装置３のハードディスクＨＤ２に転送する（ステップＳ１０）。その後、録画装置３において予約録画が実行され（ステップＳ１１）、録画データＤ１、予約録画された録画データおよび録画予約情報Ｄ２が、録画装置３のハードディスクＨＤ２からリムーバブルな光ディスクＤＫ２に書き出される（ステップＳ１２）。なお、ステップＳ１０は、特許請求の範囲に記載の転送ステップに相当し、ステップＳ１１は、特許請求の範囲に記載の録画ステップに相当する。
【００４１】
一方、録画予約情報Ｄ２に係る予約録画の実行可能な録画装置（図１に示す録画装置３）がネットワークＮ上に存在しない場合は（ステップＳ９において「ＮＯ」）、データ転送部１０によるデータ転送は行われない。
【００４２】
図３に示すフローチャートにおいて、ステップＳ４・Ｓ５とステップＳ６・Ｓ７とは、順番を入れ替えてもよい。また、ステップＳ９に移行するタイミングについて、ステップＳ５において「ＹＥＳ」の場合、およびステップＳ７において「ＮＯ」の場合に、即座にステップＳ９に移行してもよいが、これに限定されない。例えば、ステップＳ５において「ＹＥＳ」の場合であっても、ハードディスクＨＤ１に録画予約されている予約番組がキャンセルされることにより、予約録画実行までに、光ディスクＤＫ１に録画予約されている全ての予約番組が、ハードディスクＨＤ１に録画予約されている予約番組と録画日時が重複しない状態となる場合がある。また、ステップＳ７において「ＮＯ」の場合であっても、光ディスクＤＫ１に記録されている録画データＤ１の一部が消去されたり、光ディスクＤＫ１に録画予約されている予約番組の録画モードが長時間モードに変更されることにより、予約録画実行までに、光ディスクＤＫ１の残容量が録画予約情報Ｄ２に係る予約番組全てを録画できる容量となる場合がある。このため、ステップＳ５において「ＹＥＳ」の場合、およびステップＳ７において「ＮＯ」の場合、所定の日時（例えば、録画予約情報Ｄ２に基づく予約録画開始の１時間前）になっても状態が変化しなければ、ステップＳ９に移行する構成としてもよい。
【００４３】
なお、光ディスクＤＫ１に記録されている録画データＤ１が、コピーワンスによる制約を受けるデータである場合、光ディスクＤＫ１からのデータ転送を行う場合は、転送元の光ディスクＤＫ１のデータを消去しながら転送を行う（ムーブ）必要がある。なお、録画予約情報Ｄ２は、コピーワンスによる制約を受けないので、光ディスクＤＫ１から消去せずに転送することができる。
【００４４】
本実施形態では、録画装置２の光ディスクＤＫ１から録画装置３のハードディスクＨＤ２へ転送するデータを、録画データＤ１および録画予約情報Ｄ２の２種類のデータとしていたが、光ディスクＤＫ１にマイセッティング情報（例えば、画質や音量の設定情報）などの他のデータが記録されている場合には、それらの他のデータもハードディスクＨＤ２に転送することが好ましい。これにより、転送元の光ディスクＤＫ１に記録された全ての情報が、ハードディスクＨＤ２を経て光ディスクＤＫ２に記録されるので、転送先の光ディスクにおいても、転送元の光ディスクの設定内容を維持することができる。
【００４５】
また、本実施形態は、録画装置２の光ディスクＤＫ１に記録されているデータを、録画装置３のハードディスクＨＤ２に一旦転送してから、光ディスクＤＫ２に書き出す構成であったが、録画装置２の光ディスクＤＫ１に記録されているデータを光ディスクＤＫ２に直接転送してもよい。
【００４６】
本実施形態は、予約録画の実行が可能であるか否かに基づいて、他の録画装置へのデータ転送を行う構成であり、上記のように光ディスクとハードディスクとで予約録画の日時が重複した場合等は、予約録画の実行が可能であるか否かを事前に検知できる。一方、予約録画の実行ができない原因として、機器の故障や停電が挙げられるが、このような場合は、予約録画の実行が不可能であることを事前に検知できない。そこで、録画装置２のドライブに光ディスクＤＫ１が挿入された時点で、あらかじめ外部の録画装置３に光ディスクＤＫ１に記録されているデータを転送する構成としてもよい。これにより、故障などが発生して予約録画が実行されなかった場合でも、録画装置３において予約録画が実行されるので、「まとめディスク」を作成することができる。なお、録画装置２において、故障などが発生することなく予約録画が実行された場合は、録画装置３に転送したデータを消去すればよい。
【００４７】
また、光ディスクＤＫ１の残容量不足のためにデータ転送を行った場合は、転送先の光ディスクＤＫ２として、多層ディスクのような容量の大きなメディアを使用するか、録画装置３のハードディスクＨＤ２からの書き出しの際に、複数のメディアに分割して書き出せばよい。
【００４８】
最後に、図１に示す録画装置２の各ブロック、特に録画データ管理部７、録画予約管理部８、予約録画実行可否判定部９およびデータ転送部１０は、ハードウェアロジックによって構成してもよいし、次のようにＣＰＵを用いてソフトウェアによって実現してもよい。
【００４９】
すなわち、録画装置２は、各機能を実現する制御プログラムの命令を実行するＣＰＵ（ｃｅｎｔｒａｌ ｐｒｏｃｅｓｓｉｎｇ ｕｎｉｔ）、上記プログラムを格納したＲＯＭ（ｒｅａｄ ｏｎｌｙ ｍｅｍｏｒｙ）、上記プログラムを展開するＲＡＭ（ｒａｎｄｏｍ ａｃｃｅｓｓ ｍｅｍｏｒｙ）、上記プログラムおよび各種データを格納するメモリ等の記憶装置（記録媒体）などを備えている。そして、本発明の目的は、上述した機能を実現するソフトウェアである録画装置２の制御プログラムのプログラムコード（実行形式プログラム、中間コードプログラム、ソースプログラム）をコンピュータで読み取り可能に記録した記録媒体を、上記録画装置２に供給し、そのコンピュータ（またはＣＰＵやＭＰＵ）が記録媒体に記録されているプログラムコードを読み出し実行することによっても、達成可能である。
【００５０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００５１】
また、録画装置２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ ｐｒｉｖａｔｅ ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００５２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５３】
本発明は、放送される番組を記録メディアに録画する機能を有する録画装置に好適である。
【符号の説明】
【００５４】
１    録画システム
２    録画装置
３    録画装置（他の録画装置）
４    メディアアクセス部
５    ユーザインターフェース部
６    録画予約設定部
７    録画データ管理部
８    録画予約管理部
９    予約録画実行可否判定部（判定手段）
１０    データ転送部（転送手段）
１１    通信インターフェース部
Ｄ１    録画データ
Ｄ２    録画予約情報
Ｄ３    録画データ
Ｄ４    録画予約情報
ＤＫ１  光ディスク（記録メディア）
ＤＫ２  光ディスク
ＨＤ１  ハードディスク
ＨＤ２  ハードディスク
【図１】
2011065710.tif 000003
【図２】
2011065710.tif 000004
【図３】
2011065710.tif 000005
【図４】
2011065710.tif 000006
【図５】
2011065710.tif 000007
【図６】
2011065710.tif 000008
【図７】
2011065710.tif 000009